(57)【要約】      （修正有）【課題】音声認識を良好にした音声制御機能付きＩＯＴシステムを提供する。【解決手段】インターネット（ＩＯＴ）システムは、ＩＯＴサーバ３０及び複数のＩＯＴデバイス２０Ａ、２０Ｂ、２０Ｃ、２０Ｄ並びに前記ＩＯＴサーバ及び前記複数のＩＯＴデバイスに接続された音声制御デバイス１０を含んでいる。音声制御デバイスは、音声制御インターフェース１１を介して環境音情報の音声制御メッセージを受信し、音声制御メッセージを複数の近隣のＩＯＴデバイスに放送し、音声制御メッセージにしたがって１つの対応するＩＯＴデバイスを駆動する。音声制御メッセージを認識することが失敗したとき、音声制御インターフェースは、音声制御メッセージをＩＯＴサーバを介して照会のためクラウドサーバにアップロードし、クラウドサーバから返された照会の結果を放送する。【選択図】図１
2017192091.tif 000002
【特許請求の範囲】
【請求項１】
音声制御機能付きモノのインターネット（ＩＯＴ）システムの情報処理方法であって、前記方法は音声制御デバイス、複数のＩＯＴデバイス及びＩＯＴサーバを有するＩＯＴシステムによって実行され、音声制御デバイスモードを含んでおり、前記音声制御デバイスモードは前記音声制御デバイスによって実行され、以下のステップを含んでおり、
環境音情報を収集すること、
前記環境音情報のノイズをフィルタリングして音声制御メッセージを残存し、前記音声制御メッセージはデバイスタグ情報の一部、コマンドタグ情報の一部及び認証タグ情報の一部を含んでいること、
前記音声制御メッセージを前記複数のＩＯＴデバイスに放送して前記音声制御メッセージにしたがって１つの対応するＩＯＴデバイスを駆動することを特徴とする音声制御機能付きＩＯＴシステムの情報処理方法。
【請求項２】
さらにＩＯＴデバイスモードを含んでおり、前記ＩＯＴデバイスモードは各ＩＯＴデバイスによって実行され、以下のステップを含んでおり、
前記音声制御デバイスから送信された前記音声制御メッセージを受信すること、
前記音声制御メッセージに対応する制御動作を実行し、完了メッセージを前記音声制御デバイスに返信することを特徴とする請求項1記載の方法。
【請求項３】
前記音声制御メッセージを前記複数のＩＯＴデバイスに放送するステップは以下のステップを含んでおり、
前記音声制御メッセージに含まれるデバイスタグ情報の一部、コマンドタグ情報の一部及び認証タグ情報の一部が認識可能かどうかを判断すること、
前記デバイスタグ情報の一部、前記コマンドタグ情報の一部及び前記認証タグ情報の一部が認識可能と判断されたとき、前記デバイスタグ情報の一部、前記コマンドタグ情報の一部及び前記認証タグ情報の一部を前記複数のＩＯＴデバイスに放送すること、
前記デバイスタグ情報の一部、前記コマンドタグ情報の一部及び前記認証タグ情報の一部が認識不可能と判断されたとき、前記音声制御メッセージを前記ＩＯＴサーバを介してクラウドサーバにアップロードし、前記クラウドサーバから返信された情報を放送することを特徴とする請求項１記載の方法。
【請求項４】
前記音声制御メッセージを前記複数のＩＯＴデバイスに放送するステップは以下のステップを含んでおり、
前記音声制御メッセージに含まれる前記デバイスタグ情報の一部、前記コマンドタグ情報の一部及び前記認証タグ情報の一部が認識可能かどうかを判断すること、
前記デバイスタグ情報の一部、前記コマンドタグ情報の一部及び前記認証タグ情報の一部が認識可能と判断されたとき、前記デバイスタグ情報の一部、前記コマンドタグ情報の一部前記認証タグ情報の一部を前記複数ＩＯＴデバイスに放送すること、
前記デバイスタグ情報一部、前記コマンドタグ情報の一部及び前記認証タグ情報の一部が認識不可能と判断されたとき、前記音声制御メッセージを前記ＩＯＴサーバを介してクラウドサーバにアップロードし、前記クラウドサーバから返信された情報を放送することを特徴とする請求項２記載の方法。
【請求項５】
前記音声制御デバイスから送信された前記音声制御メッセージを受信するステップは以下のステップを含んでおり、
前記デバイスタグ情報の一部、前記コマンドタグ情報の一部及び前記認証タグ情報の一部を受信した後、前記デバイスタグ情報の一部、前記コマンドタグ情報の一部及び前記認証タグ情報の一部が繰り返し受信されるかどうかを判断すること、
前記デバイスタグ情報の一部、前記コマンドタグ情報の一部及び前記認証タグ情報の一部が繰り返し受信されると判断するとき認証タグ情報の一部が有効な認証タグであるかどうかを判断すること、
前記デバイスタグ情報の一部、前記コマンドタグ情報の一部及び前記認証タグ情報の一部を無視し、次いで前記ＩＯＴデバイスモードを終了することを特徴とする請求項２記載の方法。
【請求項６】
前記音声制御メッセージに対応する制御動作を実行し、完了メッセージを前記音声制御デバイスに返信するステップは以下のステップを含んでおり、
デバイスタグ情報の受信された一部が当該ＩＯＴデバイスのものと同一であるかどうかを判断すること、
コマンドタグ情報の一部を実行し、前記完了メッセージを前記音声制御デバイスに返信すること、
前記デバイスタグ情報の一部、前記コマンドタグ情報の一部及び前記認証タグ情報の一部を複数の他のＩＯＴデバイスに連続放送することを特徴とする請求項２又は請求項４記載の方法。
【請求項７】
音声制御機能付きモノのインターネット（ＩＯＴ）システムであって、
少なくとも１つのＩＯＴデバイス、
ネットワーク及び少なくとも１つのＩＯＴデバイスに接続されるＩＯＴサーバ、
前記ネットワーク及び前記少なくとも１つのＩＯＴデバイスに接続され、受音し、発音する音声制御インターフェースを有する音声制御デバイス、
前記音声制御インターフェースは環境音情報を収集し、前記環境音情報のノイズをフィルタリングして音声制御メッセージを残存し、前記音声制御メッセージを前記少なくとも１つのＩＯＴデバイスに放送して、前記音声制御メッセージにしたがって１つの対応するＩＯＴデバイスを駆動し、前記音声制御メッセージを受信したとき、前記１つの対応するＩＯＴデバイスは前記音声制御メッセージに対応する制御動作を実行し、完了メッセージを前記音声制御インターフェースに返信し、前記音声制御メッセージを認識することが失敗したとき、前記音声制御インターフェースは音声制御メッセージを前記ＩＯＴサーバを介してクラウドサーバに照会のためアップロードすることを特徴とする音声制御機能付きＩＯＴシステム。
【請求項８】
さらに前記音声制御メッセージを相互に送受信する複数のＩＯＴデバイスを含んでおり、前記音声制御デバイスに近い前記複数のＩＯＴデバイスの１つは前記音声制御メッセージを前記音声制御デバイスに遠い別のＩＯＴデバイスを介して前記ＩＯＴサーバに送信することを特徴とする請求項７記載のＩＯＴシステム。
【請求項９】
前記音声制御デバイスは前記音声制御インターフェースに接続される無線モジュールを有し、
前記音声制御インターフェースは
少なくとも１つの入力モジュール、
前記音声制御デバイスの無線モジュールに接続され、受信された音声メッセージ又は送信される音声メッセージを処理するアプリケーションプロセッサ、
スピーカモジュール、
前記スピーカモジュールに接続され、音響を再生するコーダ・アンド・エンコーダ（コーデック）、
前記少なくとも1つの入力モジュール、前記アプリケーションプロセッサ及び前記コーデックに接続されるデジタル信号プロセッサを有することを特徴とする請求項７記載のＩＯＴシステム。
【請求項１０】
前記アプリケーションプロセッサは音声認識モジュールを組み込んで前記音声メッセージに含まれる特定のメッセージを認識し、ノイズキャンセリング機能を提供し、
さらに前記音声制御デバイスは複数の入力モジュールを有し、各入力モジュールはマイクロフォンであることを特徴とする請求項９記載のＩＯＴシステム。
【請求項１１】
前記アプリケーションプロセッサの前記音声認識モジュールは前記音声制御メッセージを前記デバイスタグ情報の一部、前記コマンドタグ情報の一部及び前記認証情報の一部として認識することを特徴とする請求項７記載のＩＯＴシステム。
【発明の詳細な説明】
【技術分野】
【０００１】
本発明は、モノのインターネット（ＩＯＴ）システムに係わり、特に、音声制御機能付きＩＯＴシステム及びその情報処理方法に関する。
【背景技術】
【０００２】
多様化され、常に変革する技術開発により、ＩＯＴ関連技術は近年に亘って隆盛になっており、そのアプリケーションは広範囲に亘って展開している（例えば、特許文献１―２）。ＩＯＴを使用する主な関心事は、インターネットに接続されているすべてのシステムのための共通の形式や規格に基づいて、インターネットを介してＩＯＴデバイスから提供された情報を共有し、互いに通信し、情報交換することである。したがって、インターネットに接続されたこれらのシステムの参照及び分析に利用可能な情報は、単一のソースに限定されることはない。
【０００３】
ＩＯＴアーキテクチャは認識層、ネットワーク層及びアプリケーション層の3つの層に分割される。認識層は、無線周波数識別（RFID）センサ、RFIDタグ、センサゲートウェイ、センサノード、ＩＯＴゲートウェイ、スマート端末等を含んでおり、異なるシナリオにしたがって認識し、監視する。認識層は、感知、認識、通信可能な機器を含んでいる。ネットワーク層は、クラウド・コンピューティング・プラットフォーム、移動体通信ネットワーク、インターネット、情報センター、ネットワーク管理センター等を含んでおり、認識層から収集した情報をインターネットに送信する。音声通信のための通信ネットワーク及びデータ通信のためのデータ通信ネットワークは無線通信ネットワーク上に組み込まれる。アプリケーション層は、遠隔医療、物流監視、インテリジェント交通、汚染制御、インテリジェントホーム、スマートパワーグリッド、スマートメーター等を含んでおり、ＩＯＴの技術を他の産業の技術と組み合わせて異なる要求に対応するアプリケーションソフトウェアを開発する。
【先行技術文献】
【特許文献】
【０００４】
【特許文献１】ＪＰ  ２０１４−２２９３２１  Ａ
【特許文献２】ＪＰ  ２０１６−４５９６４  Ａ
【発明の概要】
【発明が解決しようとする課題】
【０００５】
ＩＯＴ技術の普及率が高いにも拘らず、市場でＩＯＴに適用される音声システムのノイズキャンセリング機能は未だユーザーの期待に背いており、限定した初期設定の標準化された音声コマンドを提供するのみである。しかしながら、音声認識機能が従来から不充分であるとき、ＩＯＴを介するデータ通信の効率及び異なるＩＯＴデバイスを認識する能力は音声認識が不充分であることに難儀を被っている。
【０００６】
本発明の目的は、音声制御機能付きモノのインターネット（ＩＯＴ）システムの情報処理の方法を提供して複数のＩＯＴデバイスの何れか2つの間の通信状態及び双方向性を管理し、認識された音声コンテンツを1対多数放送形態で無線送信しメッセージを１つの指定されたデバイスに送信して特定のコマンドを実行し、一斉放送の形態で選択されたＩＯＴデバイスを駆動し又は返信された情報を取得し動作の利便性を高めることである。
【課題を解決するための手段】
【０００７】
上述の目的を達成するために、音声制御機能付きＩＯＴシステムの情報処理方法は、音声制御デバイス、複数のＩＯＴデバイス及びＩＯＴサーバを有するＩＯＴシステムによって実行され、音声制御デバイスモードを含んでいる。音声制御デバイスモードは音声制御デバイスによって実行され、以下のステップを含んでいる。
【０００８】
環境音情報を収集すること、
環境音情報のノイズをフィルタリングし音声制御メッセージを残存し、音声制御メッセージはデバイスタグ情報の一部、コマンドタグ情報の一部及び認証タグ情報の一部を含んでいること、
音声制御メッセージを複数のＩＯＴデバイスに放送し音声制御メッセージにしたがって１つの対応するＩＯＴデバイスを駆動すること。
【０００９】
好ましくは、この方法は、さらに、ＩＯＴデバイスモードを含んでいる。ＩＯＴデバイスモードは、各ＩＯＴデバイスによって実行され、以下のステップを含んでいる。
【００１０】
音声制御デバイスから送信された音声制御メッセージを受信すること、
音声制御メッセージに対応する制御動作を実行し、完了メッセージを音声制御デバイスに返信すること。
【００１１】
前述の方法を考えると、一斉放送の形態により音声制御メッセージを複数の近隣のＩＯＴデバイスに放送し１つの選択されたＩＯＴデバイスを駆動し、音声制御デバイスから送信された音声制御メッセージを受信し、対応する制御動作を実行し、ＩＯＴシステムを介して完了メッセージを音声制御デバイスに返信する目的は達成することができ、これにより使用される複数のＩＯＴデバイスの動作上の利便性を高める。
【００１２】
上記の目的を達成するために、音声制御機能付きＩＯＴシステムは少なくとも１つのＩＯＴデバイス、ＩＯＴサーバ及び音声制御デバイスを含んでいる
ＩＯＴサーバは、ネットワーク及び少なくとも１つのＩＯＴデバイスに接続されている。
【００１３】
音声制御デバイスはネットワーク及び少なくとも１つのＩＯＴデバイスに接続され、受音し発音する音声制御インターフェースを有している。音声制御インターフェースは、環境音情報を収集し、環境音情報のノイズをフィルタリングして音声制御メッセージを残存し、音声制御メッセージを少なくとも１つのＩＯＴデバイスに放送し音声制御メッセージにしたがって１つの対応するＩＯＴデバイスを駆動する。音声制御メッセージを受信したとき、１つの対応するＩＯＴデバイスは、音声制御メッセージに対応する制御動作を実行し、完了メッセージを音声制御インターフェースに返信する。音声制御メッセージを認識することが失敗したとき、音声制御インターフェースは音声制御メッセージをＩＯＴサーバを介してクラウドサーバに照会のためアップロードする。
【００１４】
前述のＩＯＴシステムを考えると、音声制御デバイスは音声制御インターフェースを介して環境音情報における音声制御メッセージを受信し、音声制御メッセージを複数の近隣ＩＯＴデバイスに放送して音声制御メッセージにしたがって１つの対応するＩＯＴデバイスを駆動し、音声制御メッセージを認識することが失敗したとき、音声制御インターフェースは音声制御メッセージをＩＯＴサーバを介してクラウドサーバに照会のためアップロードし、クラウドサーバから返信された照会の結果にしたがって放送する。一斉放送の形態が適用されて１つの選択されたＩＯＴデバイスを駆動し、又は返信された情報を受信するので、複数のＩＯＴデバイスを使用して動作上の利便性を向上させることができる。
【００１５】
本発明の他の目的、利点及び新規な特徴は、以下の発明の詳細な説明から図面を併せて参照することで一層明らかとなる。
【図面の簡単な説明】
【００１６】
【図１】本発明に係る音声制御機能付きＩＯＴシステムのアーキテクチャを示す機能ブロック図である。
【図２】図1におけるＩＯＴシステムの音声制御デバイスの機能ブロック図である。
【図３】図１におけるＩＯＴシステムのアプリケーションを示す概略図である。
【図４】図１におけるＩＯＴシステムの情報処理方法の音声制御モードを示すフロー図である。
【図５】図４における方法のＩＯＴモードを示すフロー図である。
【発明を実施するための形態】
【００１７】
以下、本発明の好ましい実施例について図面を参照して詳述する。
【００１８】
図１、図２を参照するに、本発明に係る音声制御機能付きモノのインターネット（ＩＯＴ）システムは、音声制御デバイス１０、複数のＩＯＴデバイス及びＩＯＴサーバ３０を含んでいる。ＩＯＴサーバ３０はネットワーク及び複数のＩＯＴデバイスに接続される。また、音声制御デバイス１０はネットワーク及び複数のＩＯＴデバイスに接続され、音声を受音し発音する音声制御インターフェース１１を有している。本実施例において、さらにＩＯＴシステムはクラウドサーバ４０を含んでおり、ネットワーク及びＩＯＴサーバ３０を介して情報交換する。
【００１９】
複数ＩＯＴデバイスは第１のＩＯＴデバイス２０Ａ、第２のＩＯＴデバイス２０Ｂ、第３のＩＯＴデバイス２０Ｃ及び第４のＩＯＴデバイス２０Ｄを含んでおり、無線で情報交換し、音声制御デバイス１０から送信された情報を受信する。音声制御デバイス１０が第１のＩＯＴデバイス２０Ａ及び第２のＩＯＴデバイス２０Ｂにアプローチするとき、第１のＩＯＴデバイス２０Ａ及び第２のＩＯＴデバイス２０Ｂは受信情報を第１のＩＯＴデバイス２０Ａ及び第２のＩＯＴデバイス２０Ｂから一層遠い第３のＩＯＴデバイス２０Ｃ及び第４のＩＯＴデバイス２０Ｄに送信することができる。そして、さらに第３のＩＯＴデバイス２０Ｃ又は第４のＩＯＴデバイス２０Ｄは情報をＩＯＴサーバ３０に送信する。さらにまた、ＩＯＴサーバ３０はネットワークを介してクラウドサーバ４０に情報を送信することができる。
【００２０】
ユーザが或る環境において音声制御デバイス１０に投話するとき、音声制御デバイス１０の音声制御インターフェース１１は、環境音情報を収集し、環境音情報におけるノイズをフィルタリングして音声制御メッセージを生成し、音声制御メッセージを複数のＩＯＴデバイスの少なくとも１つ、例えば第２のＩＯＴデバイス２０Ｂに放送し音声制御メッセージに対応して複数のＩＯＴデバイスの１つ、例えば第３のＩＯＴデバイス２０Ｃを駆動する。音声制御メッセージを受信した後、対応するＩＯＴデバイス、例えば第３のＩＯＴデバイス２０Ｃは音声制御メッセージにしたがって対応する制御動作を実行し、音声制御デバイス１０の音声制御インターフェース１１に完了メッセージを返信する。音声制御メッセージを認識することに失敗したとき、音声制御デバイス４０は音声制御メッセージ及び複数のＩＯＴデバイスの相互的双方向の通信状態を監視し、制御することができる。
【００２１】
図２を参照するに、さらに音声制御デバイス１０は音声制御インターフェース１１に接続され、第１のアンテナ１２１を介して信号を送受信する無線モジュール１２を含んでいる。音声制御インターフェース１１は、デジタル信号プロセッサ１１１、少なくとも１つの入力モジュール１１２、アプリケーションプロセッサ１１３、コーデック（コーダ・デコーダ）１１４及びスピーカモジュール１１５を含んでいる。デジタル信号プロセッサ１１１は少なくとも１つの入力モジュール１１２、アプリケーションプロセッサ１１３及びコーデック１１４に接続される。コーデック１１４はスピーカモジュール１１５に接続されて音響を再生する。アプリケーションプロセッサ１１３は無線モジュール１２に接続されて受信された音声メッセージ又は送信される音声メッセージを処理する。本実施例において、アプリケーションプロセッサ１１３は音声認識モジュール１１３１が組み込まれて、音声メッセージに含まれる特定のメッセージを認識し、ノイズキャンセリング機能を提供する。さらに、音声制御デバイス１０は複数の入力モジュール１１２を含んでおり、各入力モジュール１１２はマイクロフォンである。
【００２２】
音声制御機能付きＩＯＴシステムのアプリケーションを示すために、図２及び図３を参照するに、第１のＩＯＴデバイス２０ＡはＩＯＴベース扇風機であり、第２のＩＯＴデバイス２０ＢはＩＯＴベースエアコンであり、第３のＩＯＴデバイス２０ＣはＩＯＴベーステレビであり、第４のＩＯＴデバイス２０ＤはＩＯＴベース冷蔵庫であり、第５のＩＯＴデバイス２０ＥはＩＯＴベース照明灯であり、ＩＯＴサーバ３０は第２のアンテナ３１を介してネットワークに接続される。
【００２３】
ユーザーは音声制御デバイス１０に投話して音響を発音することができる。音声制御デバイス１０は、複数の入力モジュール１１２、例えば複数のマイクロフォンを使用して環境音情報を収集し、デジタル信号プロセッサ１１１は環境音情報における背景ノイズをフィルタリングして背景ノイズが無いクリーンな音声制御メッセージを残存せしめ、クリーンな音声制御メッセージをアプリケーションプロセッサ１１３に送信する。本実施例において、さらにアプリケーションプロセッサ１１３に組み込まれた音声認識モジュール１１３１は、クリーン音声制御メッセージをＩＯＴシステムを代表するデバイスタグ情報の一部として、コマンドタグ情報の一部として、認証タグ情報の一部として認識する。ユーザーが「照明灯を点灯」の言葉を発音するとき、「照明灯」はデバイスタグ情報の一部であり、「点灯」はコマンドタグ情報の一部である。例えば、音声認識モジュール１１３１はデバイスタグ情報の複数の一部及びコマンドタグ情報の対応する一部を組み込んでおり、デバイスタグ情報の複数の部分は照明灯情報の一部（例えば、文字列「０００１」）、扇風機情報の一部（例えば、文字列「００１０」）、テレビ情報の一部（例えば、文字列「００１１」）、エアコン情報の一部（例えば、文字列「０１００」）及び冷蔵庫情報の一部（例えば、文字列“０１０１”）を含んでおり、照明灯照明灯情報の一部に対応するコマンドタグ情報の一部は消灯情報の一部（例えば、文字列「００００」）及び点灯情報の一部（例えば、文字列「０００１」）を含んでいる。ユーザーが「照明灯消灯」と発言するのを終了し、次いでこれが音声制御インターフェース１１によって処理されるとき、アプリケーションプロセッサ１１３は照明灯情報の一部（例えば、文字列「０００１」）、点灯情報の対応する一部（例えば、文字列「０００１」）及び認証タグ情報の対応する一部（例えば、文字列「１０００」）を取得する。次いで、アプリケーションプロセッサ１１３は１組の文字列「０００１ ０００１ １０００」を有する音声制御メッセージを無線モジュール１２を介して複数のＩＯＴデバイスの１つに放送する。
【００２４】
音声制御メッセージを受信すると、ＩＯＴデバイスは音声制御メッセージにしたがって対応する制御動作を実行し、完了メッセージを音声制御デバイス１０の音声制御インターフェース１１に返信する。音声制御メッセージの認識に失敗したとき、音声制御デバイス１０の音声制御インターフェース１１は照会のためＩＯＴサーバ３０を介してクラウドサーバ４０へ音声制御メッセージをアップロードする。例えば、ユーザーが「台北の今日の天気はどうですか」と発声するとき、音声認識モジュール１１３１において事前構成されるデバイスタグ情報及びコマンドタグ情報の一致する一部は見出すことができず、次いでアプリケーションプロセッサ１１３はクリーン音声制御メッセージを記録し、クリーン音声制御メッセージをＩＯＴサーバ３０に送信し、さらにＩＯ１０の音声制御インターフェース１１は、音声制御メッセージをさらに認識するためにＩＯＴサーバ３０を介してクラウドサーバ４０にアップロードする。１つの音声制御メッセージを複数のＩＯＴデバイスに放送する技法を考えると、ＩＯＴサーバ３０及びクラウドサーバＴサーバ３０は、クリーン音声制御メッセージをクラウドサーバ４０、例えばＧｏｏｇｌｅ（登録商標）及びＢａｉｄｕ（登録商標）に係る検索エンジンに送信し、検索エンジンから取得した情報は音声制御デバイス１０に返信されてスピーカモジュール１１５で台北の今日の天気に関連する情報についてユーザーに報知する。
【００２５】
図３を参照するに、ユーザーが「照明灯点灯」と発声するとき、音声制御デバイス１０はそのような音声制御メッセージを順次ＩＯＴベース扇風機、ＩＯＴベース冷蔵庫、ＩＯＴベース照明灯を介して放送する。点灯された後、ＩＯＴベース照明灯は完了メッセージを順次ＩＯＴベース冷蔵庫、ＩＯＴベース扇風機を介して音声制御デバイス１０に返信し、スピーカモジュール１１５で完了メッセージの発声をする。ユーザーが「台北の今日の天気はどうですか」と発声するとき、音声制御デバイス１０はそのような音声制御メッセージを順次ＩＯＴベース扇風機及びＩＯＴベーステレビを介して又は順次ＩＯＴベースエアコン及びＩＯＴサーバ３０を介して放送し、ＩＯＴサーバ３０で音声制御メッセージを検索エンジンにアップロードし、音声制御メッセージに対応する回答を取得する。さらに、ＩＯＴサーバ３０はその回答を音声制御デバイス１０に返信し、スピーカモジュール１１５で台北の今日の天気についてユーザーに報知する。音声制御デバイス１０が所定時間内に同一の情報を繰り返し受信すると、繰り返される情報は無視される。
【００２６】
音声制御機能付きＩＯＴシステムの情報処理方法は、前述の実施例の記載にしたがって導き出すことができ、音声制御機能付きＩＯＴシステムによって実行され、制御デバイス１０によって実行される音声制御デバイスモードを提供する。音声制御デバイスモードは以下のステップを含んでいる。
【００２７】
ステップＳ４１：環境音情報を収集する。
【００２８】
ステップＳ４２：環境音情報におけるノイズをフィルタリングし音声制御メッセージを残存する。音声制御メッセージはデバイスタグ情報の一部、コマンドタグ情報の一部及び認証タグ情報の一部を含んでいる。
【００２９】
ステップＳ４３：音声制御メッセージを複数のＩＯＴデバイスに放送し、音声制御メッセージにしたがって対応するＩＯＴデバイスを駆動する。
【００３０】
ステップＳ４３は、さらに以下のサブステップを含んでいる。
【００３１】
ステップＳ４３１：音声制御メッセージに含まれるデバイスタグ情報の一部、コマンドタグ情報の一部及び認証タグ情報の一部が認識可能であるかどうかを判断する。肯定的のときは、ステップＳ４３２を実行する。そうでなければ、ステップＳ４３３を実行する。
【００３２】
ステップＳ４３２：デバイスタグ情報の一部、コマンドタグ情報の一部及び認証タグ情報の一部を複数のＩＯＴデバイスに放送する。
【００３３】
ステップＳ４３３：音声制御メッセージをＩＯＴサーバ３０を介してクラウドサーバ４０にアップロードし、クラウドサーバ４０から返信された情報を放送する。
【００３４】
前述の方法が対象とするのは、音声制御メッセージを複数のＩＯＴデバイスに放送し、一斉放送の形態で音声制御メッセージにしたがって対応する１つのＩＯＴデバイスを駆動し、さらに各ＩＯＴデバイスによって達成されるＩＯＴデバイスモードを提供することである。ＩＯＴデバイスモードは以下のステップを含んでいる。
【００３５】
ステップＳ５１：音声制御デバイス１０から送信された音声制御メッセージを受信する。
【００３６】
ステップＳ５２：音声制御メッセージに対応する制御動作を実行し、完了メッセージを音声制御デバイス１０に返信する。
【００３７】
ステップＳ５１はさらに以下のサブステップを含んでいる。
【００３８】
ステップＳ５１１：デバイスタグ情報の一部、コマンドタグ情報の一部及び認証タグ情報の一部を受信した後、デバイスタグ情報の一部、コマンドタグ情報の一部及び認証タグ情報の一部が繰り返し受信されるかどうかを判断する。肯定的のときは、ステップＳ５１３を実行する。そうでなければ、ステップＳ５１２を実行する。
【００３９】
ステップＳ５１２：認証タグ情報の一部が有効な認証タグであるかどうかを判断する。肯定的のときは、ステップＳ５２を実行する。そうでなければ、ステップ５１３を実行する。
【００４０】
ステップＳ５１３：デバイスタグ情報の一部、コマンドタグ情報の一部及び認証タグ情報の一部を無視し、次いでＩＯＴデバイスモードを終了する。
【００４１】
ステップＳ５２は、さらに以下のサブステップを含んでいる。
【００４２】
ステップＳ５２１：デバイスタグ情報の受信した一部が当該ＩＯＴデバイスのものと同一であるかどうかを判断する。肯定的のときは、ステップＳ５２２を実行する。そうでなければ、ステップＳ５２３を実行する。
【００４３】
ステップＳ５２２：コマンドタグ情報の一部を実行し、完了メッセージを音声制御デバイス１０に返信する。
【００４４】
Ｓ５２３ステップ：デバイスタグ情報の一部、コマンドタグ情報の一部及び認証タグ情報の一部を他の複数のＩＯＴデバイスに連続放送する。
【００４５】
前述のＩＯＴシステム及び方法を考えると、音声制御メッセージを受信した後、次いで複数のＩＯＴデバイスは対応する制御動作を実行し、完了メッセージを音声制御デバイス１０に返信することで、一斉放送の形態が使用されてユーザーによって指定された１つのＩＯＴデバイスを駆動し、何れか２つのＩＯＴデバイス間の通信状態及び双方向性の当該意識は本発明による複数のＩＯＴデバイスを使用して動作上の利便性を向上させるものである。
【００４６】
本発明の幾つかの特徴及び利点は、本発明の構造及び機能の詳細とともに、前述の説明に記載されているが、その開示は例示に過ぎない。その変更は、特に形状、大きさ及び部品の配置の問題として特許請求の範囲が表現する用語の広い一般的意味によって示される全範囲に亘って本発明の原理内で詳細に実行することができる。
【符号の説明】
【００４７】
１０・・・音声制御デバイス
１１・・・音声制御インターフェース
１２・・・無線モジュール
２０Ａ、２０Ｂ、２０Ｃ、２０Ｄ、２０Ｅ・・・複数のＩＯＴデバイス
３０・・・ＩＯＴサーバ
３１・・・第２のアンテナ
４０・・・クラウドサーバ
１１１・・・デジタル信号プロセッサ
１１２・・・入力モジュール
１１３・・・アプリケーションプロセッサ
１１４・・・コーデック（コーダ・デコーダ）
１１５・・・スピーカモジュール
１２１・・・第１のアンテナ
１１３１・・・音声認識モジュール
【図１】
2017192091.tif 000003
【図２】
2017192091.tif 000004
【図３】
2017192091.tif 000005
【図４】
2017192091.tif 000006
【図５】
2017192091.tif 000007